(57)【要約】【課題】  自動精米設備において石の多く混じっている穀粒を石抜き機で複数回選別処理し、次いで精米機で精米処理し石の混じっていない精白米を取り出す。【解決手段】  穀粒投入ホッパ（２），石抜き機（４），精米機（６），白米取出タンク（７）を備えた自動精米設備において、石抜き機（４）と精米機（６）の間に切換弁（１６）を設け、後工程の精米機（６）側あるいは前工程の穀粒投入ホッパ（２）側へ切り換え搬送可能に構成する。操作盤（１３）には精米機（６）の精白度を設定する精白度選択スイッチ（ＳＷ１）と石抜き機（４）の複数回石抜き選別を選択する石抜きスイッチ（ＳＷ２）を設け、石抜きスイッチ（ＳＷ２）を選択操作すると切換弁（１６）を前工程の穀粒投入ホッパ（２）側へ切り換えて所定時間石にわたり抜き機（４）で石抜き選別し、次いで切換弁（１６）を後工程の精米機（６）側に切り換え精米機（６）で精米処理する制御部（Ｃ）を設ける。【選択図】図５
2014144427.tif 000002
【特許請求の範囲】
【請求項１】
穀粒投入ホッパ（２），石抜き機（４），精米機（６），白米取出タンク（７）を備えた自動精米設備において、操作盤（１３）には前記精米機（６）の精白度を設定する精白度選択スイッチ（ＳＷ１）と前記石抜き機（４）の複数回石抜き選別する石抜きスイッチ（ＳＷ２）を備え、前記石抜きスイッチ（ＳＷ２）を選択操作すると、投入穀粒を前記石抜き機（４）で複数回石抜き選別した後に後工程の前記精米機（６）に送り精米処理する制御部（Ｃ）を設けたことを特徴とする自動精米設備。
【請求項２】
請求項１の発明において、前記石抜き機（４）と精米機（６）の間に穀粒を後工程の精米機（６）側あるいは前工程の前記穀粒投入ホッパ（２）側へ切り換える切換弁（１６）を設けたことを特徴とする自動精米設備。
【請求項３】
請求項１又は請求項２の発明において、前記石抜きスイッチ（ＳＷ２）を選択操作し精米作業を開始した場合には、前記切換弁（１６）を所定時間にわたり前工程の穀粒投入ホッパ（２）側に切り換え次いで後工程の前記精米機（６）側に切り換える制御部（Ｃ）を設けたことを特徴とする自動精米設備。
【請求項４】
請求項３の発明において、前記切換弁（１６）を所定時間にわたり前工程の穀粒投入ホッパ（２）側に切り換え次いで後工程の前記精米機（６）側に切り換えるにあたり、当該所定時間を利用者の投入精米利用料金あるいは前記穀粒投入ホッパ（２）に投入した穀粒量に応じて設定する制御部（Ｃ）を設けたことを特徴とする自動精米設備。
【発明の詳細な説明】
【技術分野】
【０００１】
本発明は、石抜き機付きの自動精米設備に関する。
【背景技術】
【０００２】
自動精米設備において、石抜き機を備え石抜き機で玄米から異物を除去した後に精米機で精米処理するものは周知である（特許文献１）。
【先行技術文献】
【特許文献】
【０００３】
【特許文献１】特開２０１２−１１２７７号公報
【発明の概要】
【発明が解決しようとする課題】
【０００４】
利用者の持参した穀粒に石が多く含まれていると、石抜き機で１回石抜き選別しただけで精米きで精米すると、精白米に石が混じったり、精白米に石が混じり石により精米機を損傷するなどの不具合が発生する。そこで、本発明はこのような不具合を解消しようとするものである。
【課題を解決するための手段】
【０００５】
本発明は前記課題を解決するために次のような技術的手段を講じた。
請求項１の発明は、穀粒投入ホッパ（２），石抜き機（４），精米機（６），白米取出タンク（７）を備えた自動精米設備において、操作盤（１３）には前記精米機（６）の精白度を設定する精白度選択スイッチ（ＳＷ１）と前記石抜き機（４）の複数回石抜き選別する石抜きスイッチ（ＳＷ２）を備え、前記石抜きスイッチ（ＳＷ２）を選択操作すると、投入穀粒を前記石抜き機（４）で複数回石抜き選別した後に後工程の前記精米機（６）に送り精米処理する制御部（Ｃ）を設けたことを特徴とする。
【０００６】
請求項２の発明は、請求項１の発明において、前記石抜き機（４）と精米機（６）の間に穀粒を後工程の精米機（６）側あるいは前工程の前記穀粒投入ホッパ（２）側へ切り換える切換弁（１６）を設けたことを特徴とする。
【０００７】
請求項３の発明は、請求項１又は請求項２の発明において、前記石抜きスイッチ（ＳＷ２）を選択操作し精米作業を開始した場合には、前記切換弁（１６）を所定時間にわたり前工程の穀粒投入ホッパ（２）側に切り換え次いで後工程の前記精米機（６）側に切り換える制御部（Ｃ）を設けたことを特徴とする。
【０００８】
請求項４の発明は、請求項３の発明において、前記切換弁（１６）を所定時間にわたり前工程の穀粒投入ホッパ（２）側に切り換え次いで後工程の前記精米機（６）側に切り換えるにあたり、当該所定時間を利用者の投入精米利用料金あるいは前記穀粒投入ホッパ（２）に投入した穀粒量に応じて設定する制御部（Ｃ）を設けたことを特徴とする。
【発明の効果】
【０００９】
請求項１の発明によると、石の多く混じっている穀粒を石抜き機（４）で複数回石抜き処理し精白米に混じる石を格段に少なくし、利用者の利便性を高め自動精米設備の耐久性を高めることができる。
【００１０】
請求項２の発明によると、請求項１の発明の前記効果に加えて、石抜き機（４）への穀粒の供給が急激に増加することを防止し穀粒を円滑に石抜き選別することができる。
請求項３の発明によると、請求項１又は請求項２の発明の前記効果に加えて、石抜き機（４）による複数回の石抜き選別をした後に精米機（６）で迅速に精米処理をすることができる。
【００１１】
請求項４の発明によると、請求項３の発明の前記効果に加えて、穀粒の精米量に応じて石抜き機（４）の適正な石抜き選別をすることができる。
【図面の簡単な説明】
【００１２】
【図１】料金式精米設備のシステム構成展開図。
【図２】料金式精米設備の機器配置図。
【図３】仕切部の客室側からの見取図。
【図４】制御ブロック図。
【図５】フローチャート。
【図６】料金式精米設備の機器配置図。
【図７】料金式精米設備の機器配置図。
【図８】料金式精米設備の一部省略した機器配置図。
【発明を実施するための形態】
【００１３】
前記技術思想に基づき具体的に構成された実施の形態について以下図面を参照しつつ説明する。
本発明に係る料金式自動精米設備１は、図１にシステム構成展開図を示すように、投入された玄米を受ける穀粒投入ホッパ２と、この穀粒投入ホッパ２から取り込んだ玄米を上方部位に搬送する第１昇降機３と、この第１昇降機３から受けた玄米中の異物を揺動選別し除去する石抜き機４と、石抜き機４の選別玄米を上方位置に搬送する第２昇降機５と、第２昇降機５からの玄米を受けて精米する精米機６と、精米機６からの精白米を取り出す白米取出タンク７と、これらの機器を制御する制御部Ｃなどから構成されている。
【００１４】
そして、第２昇降機５の揚穀部に切換弁１６を設け、切換弁１６を後工程の精米機６側に切り換えたり、あるいは、前側工程の穀粒投入ホッパ２側に切り換え可能に構成し、穀粒還元通路１５を経由して投入穀粒を穀粒投入ホッパ２に還元可能に構成している。
【００１５】
また、第１昇降機３の揚穀部に第２切換弁１６ａを設け、第２切換弁１６ａを後側工程の石抜き機４側に切り換えたり、あるいは、前側工程の穀粒投入ホッパ２側に切り換え、第２穀粒還元通路１５ａを経由して穀粒投入ホッパ２に還元するように構成している。
【００１６】
なお、第１昇降機３の後工程に籾摺機（図示省略）を配設し、籾摺機で籾摺した玄米を石抜き機４に供給するように構成してもよい。
精米設備１の具体的な構成は、図２の機器配置図に示すように、建家１１を仕切り壁１２で前後に仕切り、前面側を穀粒の取り扱い及び精白度などを設定するための客室１１ａとし、後面側を機器格納用の機械室１１ｂとしている。建家１１の例えば左側端部前側を穀粒投入側として穀粒投入ホッパ２を配設し、右側端部を取出側として白米取出タンク７を配設し、穀粒投入ホッパ２から第１昇降機３，石抜き機４，第２昇降機５，玄米タンク６ｂ，精米機６を経由して白米取出タンク７に至る白米処理系を形成し、精米機６には糠吸引除去用の糠吸引ファン８を付設し、吸引除去した糠を搬送し糠タンク９に貯溜するようにしている。
【００１７】
仕切り壁１２にはその客室側からの見取図を図３に示すように、投入側に穀粒投入ホッパ２の玄米投入部１４，中央部に操作盤１３，取出側に白米取出タンク７を配置している。仕切り壁１２の操作盤１３の上方には作業手順表示部２２を設け、操作順序である（１）「お金を入れる」、（２）「玄米（籾）を入れる」、（３）「選択ボタンを押す」、（４）「白米を取り出す」と表示している。
【００１８】
操作盤１３の下方には料金投入用のコインメック２４を設けている。コインメック２４にはコインセンサＳＥ１を設け、コインメック２４のコイン投入口２４ａからコインが投入されると、コインセンサＳＥ１によりコインの種類及び投入枚数を検出し表示部に金額を表示するようにしている。また、操作盤１３には精米種類を選択する精白度選択スイッチＳＷ１（例えば、無洗米選択スイッチＳＷ１ａ，上白選択スイッチＳＷ１ｂ，標準選択スイッチＳＷ１ｃ，８ぶ選択スイッチＳＷ１ｄ，５ぶ選択スイッチＳＷ１ｅ，３ぶ選択スイッチＳＷ１ｆ，１ぶ選択スイッチＳＷ１ｇ），石抜きスイッチＳＷ２を設けている。
【００１９】
次に、図４に基づき制御ブロック構成について説明する。
制御部Ｃの入力側には、各種スイッチ及びセンサを接続している。すなわち、精白度選択スイッチＳＷ１（無洗米選択スイッチＳＷ１ａ，上白選択スイッチＳＷ１ｂ，標準選択スイッチＳＷ１ｃ，８ぶ選択スイッチＳＷ１ｄ，５ぶ選択スイッチＳＷ１ｅ，３ぶ選択スイッチＳＷ１ｆ，１ぶ選択スイッチＳＷ１ｇ），石抜きスイッチＳＷ２，切換弁切換スイッチＳＷ３，及び、コインセンサＳＥ１，穀粒投入有無センサＳＥ２を入力インターフェイス経由で接続している。
【００２０】
また、制御部Ｃの出力側には、駆動回路，駆動手段を経由して穀粒投入ホッパ２の搬送ラセン２ａ，第１昇降機３，石抜き機４，第２昇降機５，精米機６，糠吸引ファン８を接続している。
【００２１】
次に、図５のフローチャートに基づき制御部Ｃの精米制御の概要について説明する。
制御が開始され精米料金が投入され（ステップＳ１）、穀粒が投入されると（ステップＳ２）、石抜きスイッチＳＷ２が入りか否かを判定し（ステップＳ３）、Ｎｏの場合には利用者により精白度の選択がなされると（ステップＳ４）、自動精米設備の作業機器の運転が開始され（ステップＳ５）、石抜き機４により石抜き選別がなされ、精米機６により精白度選択に基づき精米がなされ（ステップＳ６）、投入料金分の精米運転時間が終了すると（ステップＳ７）、精米運転を停止し終了する（ステップＳ８）。
【００２２】
また、石抜きスイッチＳＷ２が入りか否かを判定し（ステップＳ３）、Ｙｅｓの場合には利用者が精白度選択スイッチＳＷ１を操作し精白度の選択がなされると（ステップＳ９）、自動精米設備の作業機器の運転が開始される（ステップＳ１０）。次いで、切換弁１６が前工程の穀粒投入ホッパ２側へ切り換えられ（ステップＳ１１）、設定時間にわたり石抜き機４により石抜き選別が実行され選別玄米が穀粒投入ホッパ２へ戻されながら石抜き選別がなされる（ステップＳ１２）。
【００２３】
次いで、石抜き選別の設定時間が終了したか否かを判定し（ステップＳ１３）、Ｎｏであると前記ステップＳ１２に戻り、Ｙｅｓであると、切換弁１６が後工程の精米機６側に切り換えられ精米機６で石抜き選別玄米の精米処理が実行される（ステップＳ１５）。次いで、投入料金分の精米運転時間が終了すると（ステップＳ１６）、精米運転を停止し終了する（ステップＳ８）。
【００２４】
次に、石抜き選択スイッチＳＷ２の操作タイミングについて説明する。
石抜き機４を複数回通過させる前記石抜きスイッチＳＷ２の選択操作タイミングを精米料金の投入後から精白度選択スイッチＳＷ１の選択操作まで間でのみ可能とし、精白度選択スイッチＳＷ１を選択操作した後はできないようにしている。  前記構成によると、精米作業の開始前に石抜き機４の通過選択を終了しているので、石抜き機４における石抜き選別の時間を適正化し、制御の簡単化を図ることができる。
【００２５】
また、精米利用料金に応じた精米運転時間が終了すると、前記切換弁１６を下手側の精米機６側にし切り換えるようにしている。従って、次回の精米作業の開始を迅速化することができる。
【００２６】
前記切換弁１６を上手側に切り換え石抜き選別を複数回実行する石抜き選別時間は精米利用料金に対応して設定するようにしている。また、穀粒投入ホッパ２内の投入穀粒量を投入穀粒量検出センサ（あるいは投入穀粒量重量検出センサ）により検出し、制御部Ｃの石抜き循環時間設定手段によりそれらの検出値に応じて石抜き機選別時間を設定するようにしてもよい。
【００２７】
なお、穀粒投入ホッパ２の穀粒繰出バルブの穀粒繰り出し時間の長短に応じて石抜き選別時間を設定するようにしてもよい。
次に、図６に基づき他の実施例について説明する。
【００２８】
前記第１昇降機３の揚穀部に切換弁１６を設け、切換弁１６の下手側を第１通路１７を経由して後工程の石抜き機４に接続し、また第２通路１８を経由して石抜き機４より更に後工程の第２昇降機５に接続している。そして、操作盤１３には切換弁切換スイッチＳＷ３を設け、客室１１ａから利用者が切換弁切換スイッチＳＷ３を選択操作し切換弁１６を切り換え可能に構成している。
【００２９】
しかして、利用者が切換弁切換スイッチＳＷ３を操作し切換弁１６を後工程の石抜き機４に切り換えると、投入穀粒を石抜き機４に送り石抜き選別をした後に精米機６に送り精米することができる。また、利用者が切換弁切換スイッチＳＷ３を操作し切換弁１６を下手側の第２昇降機５側に切り換えると、投入穀粒を石抜き機４を経由せずに精米機６に直接送り込み精米することができる。
【００３０】
前記構成によると、精米利用者が玄米の石抜き機４の通過の有無を選択することができ、石抜き機４を通過させない場合には石抜き機４にわずかではあるが残留する玄米量を無くし投入玄米を極力減らさないで精米し持ち帰ることができる。    次に、図７の実施例について説明する。
【００３１】
前記第２昇降機５の揚穀部に切換弁１６を設け、切換弁１６の下手側を第１通路１７を経由して後工程の精米機６に接続し、また第２通路１８を経由して前工程の穀粒投入ホッパ２に接続している。操作盤１３には切換弁切換スイッチＳＷ３を設け、客室１１ａから利用者が切換弁切換スイッチＳＷ３を操作し切換弁１６を切り換え可能に構成している。
【００３２】
玄米に石が多く混じっていると、石抜き機４で１回石抜き選別するだけで精米機６に送り精米すると、玄米に残留している石が白米に残留する不具合が発生する。しかし、前記構成によると、精米利用者が切換弁切換スイッチＳＷ３を操作し石抜き選別を選択すると、石抜き機４で所定時間にわたり石抜き選別をし投入玄米を複数回にわたり石抜き選別をすることができ、多くの石を除去し前記不具合を解消することができる。
【００３３】
また、石抜き機４の分離異物取出部には異物排出弁を設け、異物排出手段により異物排出弁を開閉作動するようにしている。精米利用者が切換弁切換スイッチＳＷ３を操作し石抜き選別を選択し切換弁１６が第２通路１８に切り換えた状態では、制御部Ｃの異物排出指令に基づき所定時間毎に石抜き機４の異物排出弁を排出作動するようにしている。
【００３４】
従って、石抜き機４で投入玄米を複数回石抜き選別する場合には、石抜き機４で分離された石を機外に確実に排出することができ、異物が再度玄米に混じるのを防止することができる。
【００３５】
次に、自動精米設備の他の実施例について説明する。
石抜き利用料金を投入し石抜きスイッチＳＷ２をＯＮすると、自動精米設備の作業機器が駆動され制御部Ｃの石抜き選別指令に基づき切換弁１６が上手側へ切り換えられ、投入料金に応じた石抜き選別時間にわたり石抜き機４が石抜き選別をし、選別穀粒は前工程の穀粒投入ホッパ２に還元される。
【００３６】
次いで、利用者が精米利用料金を投入し精白度選択スイッチＳＷ１をＯＮすると、自動精米設備の作業機器が駆動され切換弁１６が下手側に切り換えられ精米機６により精米される。
【００３７】
前記構成によると、石の多い穀粒を石抜き機４で複数回石抜き選別し、多くの石を除去した後に精米することができる。また、石抜き作業と精米作業を別料金で実行することができ、利用者の利便性の向上を図ることができる。
【００３８】
次に、図８に基づき自動精米設備の冷却構成について説明する。
建家１１の機械室１１ｂ内に空気冷却装置３１を配設し、仕切り壁１２にはフィルタ３２ａ付きの開口部３２を設けている。空気冷却装置３１と開口部３２との間を送風ファン３３付きの冷却シュート３４で接続する。そして、精米機６と機械室１１ｂの側壁との間に空気冷却装置３１，送風ファン３３を配設し、冷却シュート３４の中途部を屈曲させ白米取出タンク７に密着させ先端側を開口部３２に接続している。
【００３９】
前記構成によると、白米取出タンク７内の白米を冷却しながら客室１１ａを冷房することができる。
【符号の説明】
【００４０】
２    穀粒投入ホッパ
４    石抜き機
６    精米機
７    白米取出タンク
１３    操作盤
１６    切換弁
Ｃ    制御部
ＳＷ１    精白度選択スイッチ
ＳＷ２    石抜きスイッチ
【図１】
2014144427.tif 000003
【図２】
2014144427.tif 000004
【図３】
2014144427.tif 000005
【図４】
2014144427.tif 000006
【図５】
2014144427.tif 000007
【図６】
2014144427.tif 000008
【図７】
2014144427.tif 000009
【図８】
2014144427.tif 000010